【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
記憶媒体と、当該記憶媒体と近距離無線通信を行う情報処理装置とを含む情報処理システムであって、
前記記憶媒体は、所定のアプリケーションプログラムに登場するオブジェクトに関するデータであって、当該所定のアプリケーションプログラムであるか否かにかかわらず利用可能な共用データを記憶する記憶手段を備え、
前記情報処理装置は、
前記所定のアプリケーションプログラムを実行する際に、前記記憶手段から読み出した前記共用データを用いることによって、出力装置に前記オブジェクトに関する情報を出力する第１処理を実行する第１処理手段と、
前記所定のアプリケーションプログラムとは異なるアプリケーションプログラムを実行する際に、前記記憶手段から読み出した前記共用データを用いることによって、出力装置に前記オブジェクトに関する情報を出力する処理であって前記第１処理とは異なる第２処理を実行する第２処理手段とを備える、情報処理システム。
【請求項２】
前記情報処理装置は、
ある記憶媒体との間で近距離無線通信が可能となった場合、当該記憶媒体が当該情報処理装置で実行されるアプリケーションプログラムからのアクセスが許可される許可記憶媒体であるか否かを判定する判定手段と、
近距離無線通信が可能となった記憶媒体が許可記憶媒体であると判定されたことを条件として、前記情報処理装置で実行されるアプリケーションプログラムにおける前記共用データの利用を許可する許可手段とをさらに備える、請求項１に記載の情報処理システム。
【請求項３】
前記第１処理手段は、前記第１処理として、表示装置に前記オブジェクトを表示する処理を実行し、
前記第２処理手段は、前記第２処理として、表示装置に前記オブジェクトを表示する処理であって前記第１処理と異なる処理を実行する、請求項１に記載の情報処理システム。
【請求項４】
前記第２処理手段は、前記第２処理として、前記第１処理によって表示されるオブジェクトの表示態様とは異なる表示態様で当該オブジェクトを表示する処理を実行する、請求項１または請求項３に記載の情報処理システム。
【請求項５】
前記第２処理手段は、前記所定のアプリケーションプログラムとは異なるゲームアプリケーションプログラムを実行する際に、前記第２処理として、ゲームの進行に影響を与えない処理を実行する、請求項１または請求項３に記載の情報処理システム。
【請求項６】
前記記憶媒体は、前記共用データが表すオブジェクトを立体的または平面的に表す外観を有する、請求項１から請求項５のいずれか１項に記載の情報処理システム。
【請求項７】
前記記憶媒体は、それに記憶されるデータの一部または全部に対するハッシュ値を記憶しており、
前記判定手段は、前記記憶媒体から読み出したデータに基づいて算出されるハッシュ値と、当該記憶媒体から読み出したハッシュ値とに基づいて、前記記憶媒体が許可記憶媒体であるか否かを判定する、請求項２に記載の情報処理システム。
【請求項８】
記憶媒体と、当該記憶媒体と近距離無線通信を行う情報処理装置とを含む情報処理システムであって、
前記記憶媒体は、
前記情報処理装置が所定のアプリケーションプログラムを実行することによって生成される仮想空間に登場するオブジェクトを立体的または平面的に表す外観を有し、
前記オブジェクトの第１識別情報と、当該オブジェクトが属するグループの第２識別情報とを記憶し、
前記情報処理装置は、前記記憶媒体から読み出した前記第１識別情報を用いて所定の処理を実行し、前記記憶媒体から読み出した前記第２識別情報を用いて当該所定の処理を実行する、情報処理システム。
【請求項９】
前記情報処理装置は、
アプリケーションプログラムの実行中において、前記記憶媒体から読み出された第１識別情報が実行中のアプリケーションプログラムにおいて登録された値であるか否かを判定する第１判定手段と、
前記記憶媒体から読み出された第２識別情報が前記実行中のアプリケーションプログラムにおいて登録された値であるか否かを判定する第２判定手段と、
前記記憶媒体から読み出された第１識別情報および第２識別情報の少なくともいずれかが前記実行中のアプリケーションプログラムにおいて登録された値である場合、当該アプリケーションプログラムにおける前記所定の処理を実行する処理実行手段とを備える、請求項８に記載の情報処理システム。
【請求項１０】
前記所定の処理は、前記オブジェクトに関する処理であり、
前記処理実行手段は、
前記記憶媒体から読み出された第１識別情報が前記実行中のアプリケーションプログラムにおいて登録された値である場合、当該第１識別情報を用いて前記オブジェクトを特定し、
前記記憶媒体から読み出された第１識別情報が前記実行中のアプリケーションプログラムにおいて登録された値ではなく、かつ、前記記憶媒体から読み出された第２識別情報が前記実行中のアプリケーションプログラムにおいて登録された値である場合、当該第２識別情報を用いて前記オブジェクトを特定する、請求項８または請求項９に記載の情報処理システム。
【請求項１１】
記憶媒体と近距離無線通信を行う情報処理装置であって、
前記記憶媒体は、所定のアプリケーションプログラムに登場するオブジェクトに関するデータであって、当該所定のアプリケーションプログラムであるか否かにかかわらず利用可能な共用データを記憶する記憶手段を備え、
前記所定のアプリケーションプログラムを実行する際に、前記記憶手段から読み出した前記共用データを用いることによって、出力装置に前記オブジェクトに関する情報を出力する第１処理を実行する第１処理手段と、
前記所定のアプリケーションプログラムとは異なるアプリケーションプログラムを実行する際に、前記記憶手段から読み出した前記共用データを用いることによって、出力装置に前記オブジェクトに関する情報を出力する処理であって前記第１処理とは異なる第２処理を実行する第２処理手段とを備える、情報処理装置。
【請求項１２】
記憶媒体と近距離無線通信を行う情報処理装置のコンピュータによって実行される情報処理プログラムであって、
前記記憶媒体は、所定のアプリケーションプログラムに登場するオブジェクトに関するデータであって、当該所定のアプリケーションプログラムであるか否かにかかわらず利用可能な共用データを記憶する記憶手段を備え、
前記所定のアプリケーションプログラムを実行する際に、前記記憶手段から読み出した前記共用データを用いることによって、出力装置に前記オブジェクトに関する情報を出力する第１処理を実行する第１処理手段と、
前記所定のアプリケーションプログラムとは異なるアプリケーションプログラムを実行する際に、前記記憶手段から読み出した前記共用データを用いることによって、出力装置に前記オブジェクトに関する情報を出力する処理であって前記第１処理とは異なる第２処理を実行する第２処理手段として前記コンピュータを機能させる、情報処理プログラム。
【請求項１３】
記憶媒体と、当該記憶媒体と近距離無線通信を行う情報処理装置とを含む情報処理システムにおいて実行される情報処理方法であって、
前記記憶媒体は、所定のアプリケーションプログラムに登場するオブジェクトに関するデータであって、当該所定のアプリケーションプログラムであるか否かにかかわらず利用可能な共用データを記憶しており、
前記情報処理装置は、
前記所定のアプリケーションプログラムを実行する際に、前記記憶手段から読み出した前記共用データを用いることによって、出力装置に前記オブジェクトに関する情報を出力する第１処理を実行する第１処理ステップと、
前記所定のアプリケーションプログラムとは異なるアプリケーションプログラムを実行する際に、前記記憶手段から読み出した前記共用データを用いることによって、出力装置に前記オブジェクトに関する情報を出力する処理であって前記第１処理とは異なる第２処理を実行する第２処理ステップとを実行する、情報処理方法。
【請求項１４】
記憶媒体と近距離無線通信を行う情報処理装置であって、
前記記憶媒体は、
前記情報処理装置が所定のアプリケーションプログラムを実行することによって生成される仮想空間に登場するオブジェクトを立体的または平面的に表す外観を有し、
前記オブジェクトの第１識別情報と、当該オブジェクトが属するグループの第２識別情報とを記憶し、
前記記憶媒体から読み出した前記第１識別情報を用いて所定の処理を実行する第１処理手段と、
前記記憶媒体から読み出した前記第２識別情報を用いて前記所定の処理を実行する第２処理手段とを備える、情報処理装置。
【請求項１５】
記憶媒体と近距離無線通信を行う情報処理装置のコンピュータによって実行される情報処理プログラムであって、
前記記憶媒体は、
前記情報処理装置が所定のアプリケーションプログラムを実行することによって生成される仮想空間に登場するオブジェクトを立体的または平面的に表す外観を有し、
前記オブジェクトの第１識別情報と、当該オブジェクトが属するグループの第２識別情報とを記憶し、
前記記憶媒体から読み出した前記第１識別情報を用いて所定の処理を実行する第１処理手段と、
前記記憶媒体から読み出した前記第２識別情報を用いて前記所定の処理を実行する第２処理手段として前記コンピュータを機能させる、情報処理プログラム。
【請求項１６】
記憶媒体と、当該記憶媒体と近距離無線通信を行う情報処理装置とを含む情報処理システムにおいて実行される情報処理方法であって、
前記記憶媒体は、
前記情報処理装置が所定のアプリケーションプログラムを実行することによって生成される仮想空間に登場するオブジェクトを立体的または平面的に表す外観を有し、
前記オブジェクトの第１識別情報と、当該オブジェクトが属するグループの第２識別情報とを記憶し、
前記情報処理装置は、前記記憶媒体から読み出した前記第１識別情報を用いて所定の処理を実行し、前記記憶媒体から読み出した前記第２識別情報を用いて当該所定の処理を実行する、情報処理方法。
【請求項１７】
情報処理装置と近距離無線通信を行う記憶媒体であって、
前記情報処理装置が所定のアプリケーションプログラムを実行することによって生成される仮想空間に登場するオブジェクトを立体的または平面的に表す外観を有し、
前記記憶媒体は、所定のアプリケーションプログラムに登場するオブジェクトに関するデータであって、当該所定のアプリケーションプログラムであるか否かにかかわらず利用可能な共用データを記憶する記憶手段を備える、記憶媒体。
【請求項１８】
情報処理装置と近距離無線通信を行う記憶媒体であって、
前記情報処理装置が所定のアプリケーションプログラムを実行することによって生成される仮想空間に登場するオブジェクトを立体的または平面的に表す外観を有し、
前記オブジェクトの第１識別情報と、当該オブジェクトが属するグループの第２識別情報とを記憶する記憶手段を備える、記憶媒体。